【事件の表示】
　特願２００８−　　３３９３「電子機器、該電子機器に用いられる情報入力方法及び情報入力制御プログラム、並びに携帯端末装置」拒絶査定不服審判事件〔平成２１年　７月３０日出願公開、特開２００９−１６９４５６〕について、次のとおり審決する。
【結　論】
　本件審判の請求は、成り立たない。
【理　由】
第１　手続きの経緯・本願発明
　本願は、平成２０年１月１０日の出願であって、平成２４年１２月２７日付けで拒絶査定がなされ、それに対して、平成２５年４月１日付けで拒絶査定に対する審判請求がなされるとともに手続補正がされ、当審において平成２６年１月１５日付けで拒絶理由が通知されたところ、同年３月２４日に意見書及び手続補正書が提出されたものである。
　
　本願請求項１に係る発明は、平成２６年３月２４日に提出された手続補正書により補正された明細書及び図面の記載からみて、その特許請求の範囲の請求項１に記載された次のとおりのものである。（以下、「本願発明」という。）
「【請求項１】
　タッチパネルを有する携帯端末装置であって、
　前記タッチパネルの表示は予め設定された複数の入力枠を含み、
　第１の情報を前記複数の入力枠のそれぞれに割り当てて表示し、
　前記複数の入力枠の一が押下されている間、当該一の入力枠に隣接する他の入力枠に表示していた第１の情報に代えて、前記押下された入力枠に表示した第１の情報に付随する第２の情報を、前記予め設定された複数の入力枠のうち前記押下された入力枠の上、下、左、右の全方向の入力枠に表示し、
　その後リリースされた際、当該リリース直前に押下されていた前記タッチパネル上の位置に対応する前記第１の情報又は第２の情報のいずれかを入力情報とする携帯端末装置。」
　
第２　引用例
（１）当審における、平成２６年１月１５日付けで通知した拒絶の理由に引用した特表２００５−５３５９７５号（以下、「引用例１」という。）には、図面とともに、以下の記載がある。
（ア）「【０００２】
  最近、電子技術の発達により、タッチスクリーンを利用した携帯情報端末が広く補給されている。
【０００３】
  このような携帯情報端末を利用して所定の文字を入力するためには、ディスプレイ上に表示される、実際のキーボードと同一な配置のソフトウェアキーボードを利用し、該当キーを指先またはタッチペンで押せばよい。
【０００４】
  しかしながら、従来のタッチスクリーンを利用した携帯情報端末にディスプレイされるソフトウェアキーボードは、制限されたスクリーン領域内に実際のキーボードと同一にディスプレイされるためキーボードのキーが小さく、目の疲労が激しくて誤打を生じやすい。しかも、タッチスクリーンの領域が小さい装置(特に、ウォッチフォンなど)では、目の疲労がさらに激しく、誤打をさらに生じやすい。
【０００５】
  このような問題点を解決するために、図７に示したように、１０行×５列の行列状に配置された５０音仮名テーブルの先頭行仮名文字のみ(あ、か、さ、た、な、は、ま、や、ら、わ)を各ブロックに割り当てて、前記先頭行仮名文字のある一文字(ここでは、‘ま’)にタッチすると、タッチされた先頭行仮名文字に属する列仮名文字(ま、み、む、め、も)が扇形に表示されて、該当文字へのドローイングにより文字を入力する方法が開示されている(日本特許出願２０００−２８７６３０)。
【０００６】
  しかしながら、このような文字入力方法では、まず先頭行仮名文字のみを表示する第１ステップと、前記先頭行仮名文字の所定の一文字をタッチすると、選択された先頭行仮名文字に属する列仮名文字が扇形に表示される第２ステップと、ユーザーの所望の文字へとドローイングする第３ステップとを通じてのみ、該当ブロックにどのような文字が割り当てられているかが分かり、また初期に表示される先頭行仮名文字ブロックは、該当先頭行仮名文字を入力するためのものではなく、該当先頭行仮名文字に属する文字を表示するための一種のスイッチとしてのみ機能する。
【０００７】
  従って、所定の文字を入力するためには３段階まで進行しなければならないため文字入力までの時間が遅くなり、また２段階で表示される扇形では、各文字に割り当てられた面積が狭いため誤打を生じやすい。」（【背景技術】段落【０００２】〜【０００７】）
　　　
（イ）「【０００８】
  従って、前記問題点を解決するために、本発明は、特定文字の代表文字のみが割り当てられた代表文字ブロックと、前記代表文字ブロックの上、下、左、右に前記代表文字に係わる周辺文字を配置することにより、該当周辺文字の属する代表文字をタッチしなくても予め該当文字の位置を認知することができるため、文字入力時間を減らすことができ、さらに周辺文字に割り当てられた周辺文字ブロックの面積が従来の扇形より大きいため、誤打の発生も減らすことができる、ソフトウェアキーボードを利用した文字入力方法を提供する。
【０００９】
  前記目的を達成するために、本発明によるソフトウェアキーボードを利用した文字入力方法は、ソフトウェアキーボードは、所定個数のブロックからなり、前記各ブロックに代表文字を割り当てて前記代表文字ブロックのある一つのキーをタッチすると、前記タッチされた代表文字ブロックの周りに配置された周辺文字ブロックが共に活性化されることにより、前記代表文字ブロックをタッチするか、または前記代表文字ブロックをタッチした状態で活性化された周辺文字ブロックへドラッグして文字を入力することを特徴とする。
【００１０】
  また、前記代表文字ブロックと周辺文字ブロックは、その領域が重なり合っている。
【００１１】
  また、前記代表文字ブロックの中でタッチされた代表文字ブロックは、他の代表文字ブロックより大きく拡張される。
・・・中略・・・
【００１４】
  また、前記代表文字ブロックに英文字‘A、D、G、J、M、P、S、V、Y’がそれぞれ割り当てられた場合、前記各代表文字ブロックの上、下、左、右に位置した周辺文字ブロックには、それぞれ‘A、B、C’、‘D、E、F’、‘G、H、I’、‘J、K、L’、‘M、N、O’、‘P、Q、R’、‘S、T、U’、‘V、W、X’、‘Y、Z’が割り当てられる。
・・・中略・・・
【００１７】
  また、前記代表文字ブロックにそれぞれ‘あ、か、さ、た、な、は、ま、や、ら、わ’が割り当てられた場合、前記代表文字ブロックの周辺文字ブロックにはそれぞれ、‘い、う、え、お’、‘き、く、け、こ’、‘し、す、せ、そ’、‘ち、つ、て、と’、‘に、ぬ、ね、の’、‘ひ、ふ、へ、ほ’、‘み、む、め、も’、‘ゆ、よ’、‘り、る、れ、ろ’、‘ん、を’が割り当てられる。
【００１８】
  また、前記代表文字と周辺文字との片仮名を発生するブロックがさらに割り当てられる。
【００１９】
  また、前記平仮名または片仮名の文字入力後、該当文字を漢字に変換する漢字変換ブロック、促音に変換する促音変換ブロック、濁音に変換する濁音変換ブロック、半濁音に変換する半濁音変換ブロック、長音に変換する長音変換ブロックが、別途のブロックにそれぞれ配置されるか、または一つのブロックに周辺ブロックとして配置される。」（【課題を解決するための手段】段落【０００８】〜【００１９】）
　　　
（ウ）「【００２５】
  図１は、本発明によるタッチスクリーンを利用した携帯情報端末の外観図である。図２は、ソフトウェアキーボードの動作原理図である。図３ａは、本発明の一実施例による英文字ソフトウェアキーボードの配置図であり、図３ｂは、図３ａに示した英文字キーボードをセル上に示した状態を示した図面である。図４ａ〜ｄは、周辺文字ブロックに表示される多様な記号を示した図面である。図５ａは、本発明の他の実施例による仮名文字ソフトウェアキーボードの配置図であり、図５ｂは、図５ａに示した仮名文字キーボードをセル上に示した状態を示した図面である。図６ａ、ｂは、周辺文字ブロックに表示される多様な記号を示した図面である。図７は、従来技術のソフトウェアキーボードを示した図面である。
【００２６】
  図１に示したように、本発明によるタッチスクリーンを利用した携帯情報端末１００は、本体１０５と、前記本体１０５の前面部に配置された表示部１０７と、一般的な操作のための操作キー１５０を含む。
【００２７】
  また、表示部１０７には、文字入力時使用可能なソフトウェアキーボード１１０がディスプレイされる。
【００２８】
  このソフトウェアキーボード１１０の動作原理は、次のようである。
【００２９】
  図２に示したように、指先またはタッチペンのタッチにより文字入力信号をソフトウェアキーボード１１０から受けて、該当文字を貯蔵部１２０から読み出し所定の文字組合信号を発生して、完成された文字をディスプレイするよう、中央処理部１３０から文字表示信号を発生し前記ソフトウェアキーボード１１０に伝達することにより、該当文字がディスプレイ上に表示される。
【００３０】
  好ましくは、前記ソフトウェアキーボード１１０は、所定個数のブロックからなり、前記ブロックにはそれぞれ代表文字が割り当てられて、前記代表文字周辺に位置した周辺ブロック(代表文字がタッチされた場合にのみ表示される)には、前記代表文字に係わる周辺文字がそれぞれ割り当てられる。
【００３１】
  本明細書に使用される用語‘代表文字’とは、例えば、ディスプレイ上に表示しようとする文字が英文字である場合は、‘Ａ，Ｄ，Ｇ，Ｊ，Ｍ，Ｐ，Ｓ，Ｖ，Ｙ’であり、用語‘周辺文字’は、前記代表文字と共にグループを成す文字、即ち、代表文字が‘Ａ’である場合は、‘Ａ、Ｂ，Ｃ’を意味する。このように、‘代表文字’は、特定文字を所定個数に減らすために使用される文字を意味し、‘周辺文字’は、前記‘代表文字’に係わり共にグループを成す文字を意味する。そして、前記用語‘周辺’とは、代表文字が配置された代表文字ブロックを中心に、上、下、左、右を意味して、つまり、前記‘周辺ブロック’とは、‘代表文字ブロック’を中心に、上、下、左、右に位置したブロックを意味する。」（【発明を実施するための最良の形態】段落【００２５】〜【００３１】）
　　　　
（エ）「【００３６】
  理解を助けるために、このような英文字ソフトウェアキーボードをセル上に示した状態が図３ｂに示されている。
【００３７】
  図３ｂに示したように、この代表文字ブロックの中からある一つをタッチすると、前記代表文字の周辺ブロックも共に活性化され他の代表文字ブロックより大きく拡張されて、該当方向へのドラッグにより代表文字または前記代表文字に係わる周辺文字が入力できる。即ち、代表文字ブロック‘Ａ’をタッチすると、セル区間(Ａ０、Ａ４−Ｂ０、Ｂ４)まで活性化されその大きさが拡張されて、代表文字ブロック‘Ｄ’をタッチすると、セル区間(Ａ０、Ａ４−Ｂ２、Ｂ６) まで活性化されその大きさが拡張されて、代表文字ブロック‘Ｇ’をタッチすると、セル区間(Ａ０、Ａ４−Ｂ４、Ｂ８) まで活性化されその大きさが拡張されて、代表文字ブロック‘Ｊ’をタッチすると、セル区間(Ａ０、Ａ４−Ｂ６、Ｂ１０) まで活性化されその大きさが拡張されて、代表文字ブロック‘Ｍ’をタッチすると、セル区間(Ａ０、Ａ４−Ｂ８、Ｂ１２) まで活性化されその大きさが拡張されて、代表文字ブロック‘Ｐ’をタッチすると、セル区間(Ａ０、Ａ４−Ｂ１０、Ｂ１４) まで活性化されその大きさが拡張されて、代表文字ブロック‘Ｓ’をタッチすると、セル区間(Ａ０、Ａ４−Ｂ１２、Ｂ１６) まで活性化されその大きさが拡張されて、代表文字ブロック‘Ｖ’をタッチすると、セル区間(Ａ０、Ａ４−Ｂ１４、Ｂ１８) まで活性化されその大きさが拡張されて、代表文字ブロック‘Ｙ’をタッチすると、セル区間(Ａ０、Ａ４−Ｂ１６、Ｂ２０) まで活性化されその大きさが拡張されることにより、代表文字または周辺文字を入力することができる。
【００３８】
  ここで、セル区間(Ａ０、Ａ４−Ｂ３、Ｂ４)(より正確には、ブロック(Ａ１、Ａ３−Ｂ３、Ｂ４))は、それ自体が代表文字‘Ｄ’の代表文字ブロックとして機能するたけではなく、代表文字‘Ａ’の周辺文字ブロックとしても機能する。もちろん、ブロック(Ａ１、Ａ３−Ｂ２、Ｂ３)も、それ自体が代表文字‘Ａ’の代表文字ブロックであると同時に代表文字ブロック‘Ｄ’の周辺文字ブロックとして機能する。このように、代表文字ブロックと周辺文字ブロックは、重なり合うことができる。」（（実施例１）段落【００３６】〜【００３８】）
　　
「【００５６】
  次に、図６ｂについて説明する。図６ｂでは、図６ａに示したバーの代わりに該当文字が直接表示される。
【００５７】
  同図に示したように、代表文字ブロック(Ａ１、Ａ３−Ｂ１、Ｂ３)に文字‘あ’が直接表示されて、周辺文字ブロック(Ａ０、Ａ１−Ｂ１、Ｂ３)に文字‘い’が直接表示されて、周辺文字ブロック(Ａ１、Ａ３−Ｂ３、Ｂ４)に文字‘う’が直接表示されて、周辺文字ブロック(Ａ３、Ａ４−Ｂ１、Ｂ３)に文字‘え’が直接表示されて、周辺文字ブロック(Ａ１、Ａ３−Ｂ０、Ｂ１)に文字‘お’が直接表示され、代表文字は、タッチにより入力して、周辺文字は、代表文字から該当文字(代表文字の上、下、左、右に配置された文字)へとドラッグして入力する。
・・・中略・・・
【００５９】
  また、該当周辺文字を入力することにおいて、従来は、扇形のブロックが表示されるまでは認識することができなかったが、本発明では、代表文字ブロックを中心に、上、下、左、右に該当周辺文字を配置したため、代表文字ブロックをタッチしなくても各代表文字に割り当てられた周辺文字が容易に分かる。即ち、本発明は、代表文字を中心に上、下、左、右の方向を利用した文字入力方式である。
・・・中略・・・
【００６１】
  本発明に添付の図面を参照し、英語、日本語の文字入力方法について説明したが、前記言語は一つの例であって、他の国の言語にも適用できるということは、この技術分野の当業者であれば分かるだろう。また、本発明は、スマートフォン、電子手帳、携帯電話、電子辞書、両方向ＴＶなど、多様な装置に適用可能である。」（（実施例２）段落【００５６】〜【００６１】）
　　
　以上の記載によれば、引用例１には以下のような発明（以下、「引用発明」という。）が開示されていると認められる。
「タッチスクリーンを利用した携帯情報端末１００であって、
  表示部１０７には、文字入力時使用可能なソフトウェアキーボード１１０がディスプレイ上に表示され、
　前記ソフトウェアキーボード１１０は、所定個数の代表文字ブロックからなり、前記代表文字ブロックにはそれぞれ代表文字が割り当てられ、代表文字ブロックに代表文字が直接表示され、
　前記代表文字ブロックを中心に、上、下、左、右に位置し、代表文字がタッチされた場合にのみ表示される周辺文字ブロックには、前記代表文字に係わる周辺文字がそれぞれ割り当てられ、前記周辺文字が直接表示され、
　前記代表文字ブロックと周辺文字ブロックは、その領域が重なり合っているものであり、
　前記代表文字ブロックにそれぞれ‘あ、か、さ、た、な、は、ま、や、ら、わ’が割り当てられた場合、前記代表文字ブロックの周辺文字ブロックにはそれぞれ、‘い、う、え、お’、‘き、く、け、こ’、‘し、す、せ、そ’、‘ち、つ、て、と’、‘に、ぬ、ね、の’、‘ひ、ふ、へ、ほ’、‘み、む、め、も’、‘ゆ、よ’、‘り、る、れ、ろ’、‘ん、を’が割り当てられ、
  前記代表文字ブロックのある一つのキーをタッチすると、前記タッチされた代表文字ブロックの周りに配置された周辺文字ブロックが共に活性化されることにより、前記代表文字ブロックをタッチするか、または前記代表文字ブロックをタッチした状態で活性化された周辺文字ブロックへドラッグして文字を入力することを特徴とする携帯情報端末１００。」
　　　
（２）当審における、平成２６年１月１５日付けで通知した拒絶の理由に引用した特開２００７−１５６７７８号公報（以下、「引用例２」という。）には、図とともに、以下の記載がある。
（ア）「図17は本発明を携帯電話機に適用した例であり、携帯電話機は折りたたみ形になっており、図では開いた状態が示されており、液晶などの表示部51とタッチパネル部52を有している。タッチパネル52は第2実施例と同様に表示部のスクリーンの上に1層の透明タッチパネルが積層されて構成されている。タッチパネルの表示部には図示の各ボタンが表示されている。仮名/数字入力ボタンは、該仮名の行の5文字と該数字を入力できる。」（段落【００２５】）
　　　
（イ）「【００２８】
　図20は図17の携帯電話機を用いて派生文字を入力する別の操作説明図であり、「ふぁーすとふーど」と入力すべく、「ふ」を入力した場合である。
（A）に示すようにボタン「あ」に指をタッチする。なお、指はタッチパネルから離される。これにより、(B)に示すように、タッチパネルに「あ」行の5文字を表示する。画面は入力文字が確定していないから何も変化しない。」（段落【００２８】）
　　
（ウ）図20（A）には、文字入力ボタンを５行３列配置したタッチパネルに表示されるキーボードにおいて、文字入力ボタンに「あ」、「か」、「さ」、「た」、「な」、「は」、「ま」、「や」、「ら」、「わ」を表示することが示され、図20（B）には、図20（A）で表示されているボタン「あ」に指をタッチすると、ボタン「あ」の表示はそのままで、「さ」、「な」、「ま」、「ら」を表示していた各ボタンに、それぞれ、「あ」行の「い」、「う」、「え」、「お」を表示することが示されている。
　　　
（３）当審における、平成２６年１月１５日付けで通知した拒絶の理由に引用した特開２００６−２０９４１８号公報（以下、「引用例３」という。）には、図とともに、以下の記載がある。
（ア）「【００３２】
　また、制御部１１２は、ステップＳ２−４で、かな入力画面キー１１３が操作されると、ステップＳ２−５でかな設定用第１画面が表示される。かな設定用第１画面は、図５（Ｃ）に示すように「あ」、「か」、「さ」、「た」、「な」、「は」、「ま」、「や」、「ら」、「わ」などのひらがなを構成する５１音の文字のうちの代表的な文字に対応した複数のキーから構成されている。」（段落【００３２】）
　　　
（イ）「【００６３】
　擬似ダブルクリックは、第１画面の押下位置の文字と同じ文字が第２画面の同じ位置に表示することにより、擬似的にダブルクリックと同等の機能を実現するための操作である。例えば、図１４（Ａ）の第１画面で「さ」の位置を押下すると、表示部１２２の表示が図１４（Ｂ）に示すような第２画面に遷移する。このとき、第１画面の「さ」と同じ位置に「さ」が表示されるように第２画面が設定されている。」（段落【００６３】）
　　
（ウ）図１４（Ａ）には、キーを４行３列に配置したかな設定用第１画面において、キーに「あ」、「か」、「さ」、「た」、「な」、「は」、「ま」、「や」、「ら」、「わ」を表示することが示され、図１４（Ｂ）には、図１４（Ａ）で表示されているキー「さ」の位置を押下すると、キー「さ」の位置はそのままで、「た」、「な」、「は」、「ま」を表示していた位置のキーに、それぞれ、「さ」行の「し」、「す」、「せ」、「そ」を表示することが示されている。
　　　
（４）当審における、平成２６年１月１５日付けで通知した拒絶の理由に引用した特開２０００−２８５０８０号公報（以下、「引用例４」という。）には、図とともに、以下の記載がある。
（ア）「【０１８９】図１８の（ａ）は、ひらがな入力モードの初期画面例を示す。これは、入力ボード１０４を９個の領域に等分割して各領域に○を表示し、その○の中に現在入力可能の文字を表示したひらがな入力モードの初期画面例であって、ここでは、ひらがなの先頭文字の「かさたなはまやら」を表示し、中央の領域＃２に「○」（あ行の表示用）を表示する。」（段落【０１８９】）
　　　
（イ）「【０１９３】図１８の（ｅ）は、図１８の（ａ）のひらがな入力モードの初期画面上で「か」を選択した状態を示す。
【０１９４】図１８の（ｆ）は、図１８の（ｅ）で「か」を選択した状態で中央の「○」の領域にドラッグし、入力可能な「か行」の文字を図示のように表示した状態を示す。」（段落【０１９３】〜【０１９４】）
　　　　
（ウ）図１８の（ｅ）には、矩形の入力ボード（タッチパネル）の領域を３行３列に分割したひらがな入力モードの画面において、分割した各領域に「さ」、「た」、「な」、「か」、「は」、「ら」、「や」、「ま」を表示することが示され、図１８の（ｆ）には、図１８（ｅ）で「か」の領域を選択し、中央の「○」の領域にドラッグすると、「か」の領域はそのままで、「さ」、「た」、「な」、「は」を表示していた領域に、それぞれ、「か行」の「き」、「く」「け」、「こ」を表示することが示されている。
　　　
第３　対比
　本願発明と引用発明とを対比する。
（ア）引用発明の「タッチスクリーン」は、本願発明の「タッチパネル」に相当する。
　そして、引用発明の「タッチスクリーンを利用した携帯情報端末１００」は、本願発明の「タッチスパネルを有する携帯端末装置」に相当するといえる。
　　　
（イ）引用発明の「ソフトウェアキーボード１１０」は、「ディスプレイ上に表示され」、「所定個数の代表文字ブロック」からなっているから、引用発明の「代表文字ブロック」は、本願発明のタッチパネルの表示に含まれる「予め設定された複数の入力枠」に相当するといえる。
　
（ウ）引用発明は、「前記代表文字ブロックにはそれぞれ代表文字が割り当てられ、代表文字ブロックに代表文字が直接表示」されているから、引用発明の「代表文字」は、本願発明の「前記複数の入力枠のそれぞれに割り当てて表示」される「第１の情報」に相当するといえる。
　　
（エ）引用発明の「前記代表文字に係わる周辺文字」は、「代表文字ブロックにそれぞれ‘あ、か、さ、た、な、は、ま、や、ら、わ’が割り当てられた場合、前記代表文字ブロックの周辺文字ブロックにはそれぞれ、‘い、う、え、お’、‘き、く、け、こ’、‘し、す、せ、そ’、‘ち、つ、て、と’、‘に、ぬ、ね、の’、‘ひ、ふ、へ、ほ’、‘み、む、め、も’、‘ゆ、よ’、‘り、る、れ、ろ’、‘ん、を’が割り当」てられるから、本願発明の「第１の情報に付随する第２の情報」に相当する。
　　
（オ）引用発明の「周辺文字ブロック」は、周辺文字が表示され、表示された周辺文字が入力できるから、本願発明の「入力枠」に相当するといえる。　ただし、引用発明の「周辺文字ブロック」は、代表文字がタッチされた場合にのみ表示されるから、「予め設定された入力枠」ではない。
　　
（カ）引用発明の「代表文字ブロックのある一つのキーをタッチすると、」「前記代表文字ブロックを中心に、上、下、左、右に位置」した「周辺文字ブロック」が活性化され、「周辺文字ブロックに周辺文字が直接表示」される構成と、本願発明の「前記複数の入力枠の一が押下されている間、当該一の入力枠に隣接する他の入力枠に表示していた第１の情報に代えて、前記押下された入力枠に表示した第１の情報に付随する第２の情報を、前記予め設定された複数の入力枠のうち前記押下された入力枠の上、下、左、右の全方向の入力枠に表示し」とは、「前記複数の入力枠の一が押下されている間、前記押下された入力枠に表示した第１の情報に付随する第２の情報を、前記押下された入力枠の上、下、左、右の全方向の入力枠に表示」する点では一致する。ただし、引用発明の「周辺文字ブロック」に表示される「周辺文字」は、表示していた「代表文字」に代えて表示されるものではない。
　　　
（キ）引用発明の「前記代表文字ブロックをタッチするか、または前記代表文字ブロックをタッチした状態で活性化された周辺文字ブロックへドラッグして文字を入力する」ことは、本願発明の「その後リリースされた際、当該リリース直前に押下されていた前記タッチパネル上の位置に対応する前記第１の情報又は第２の情報のいずれかを入力情報とする」ことに相当するといえる。
　　
　したがって、両者は、
「タッチパネルを有する携帯端末装置であって、
　前記タッチパネルの表示は予め設定された複数の入力枠を含み、
　第１の情報を前記複数の入力枠のそれぞれに割り当てて表示し、
　前記複数の入力枠の一が押下されている間、前記押下された入力枠に表示した第１の情報に付随する第２の情報を、前記押下された入力枠の上、下、左、右の全方向の入力枠に表示し、
　その後リリースされた際、当該リリース直前に押下されていた前記タッチパネル上の位置に対応する前記第１の情報又は第２の情報のいずれかを入力情報とする携帯端末装置。」
で一致するものであり、次の点で相違している。
　　
＜相違点＞　　　
　本願発明では、第２の情報は、「押下された入力枠に隣接する他の入力枠に表示していた第１の情報に代えて、」「前記予め設定された複数の入力枠のうち前記押下された入力枠の上、下、左、右の全方向の入力枠に表示」するのに対し、引用発明では、周辺文字は、代表文字がタッチされた場合にのみ表示される、代表文字ブロックを中心に、上、下、左、右に位置した周辺文字ブロックに表示される点。
　　
第４　当審の判断
　上記相違点について検討する。
　引用例１の摘記事項（ア）、（イ）から把握される引用発明の課題と引用例１の特許請求の範囲の記載に照らせば、引用発明において、複数の代表文字ブロックをどのように配置するかといった事項や、タッチされた代表文字ブロックに対する周辺文字ブロックの大きさ等をどのように定めるかといった事項は、引用発明が解決しようとした課題を解決し得る範囲で当業者が適宜決定し得る事項である。
　また、引用例１には、「ここで、セル区間(Ａ０、Ａ４−Ｂ３、Ｂ４)(より正確には、ブロック(Ａ１、Ａ３−Ｂ３、Ｂ４))は、それ自体が代表文字‘Ｄ’の代表文字ブロックとして機能するたけではなく、代表文字‘Ａ’の周辺文字ブロックとしても機能する。もちろん、ブロック(Ａ１、Ａ３−Ｂ２、Ｂ３)も、それ自体が代表文字‘Ａ’の代表文字ブロックであると同時に代表文字ブロック‘Ｄ’の周辺文字ブロックとして機能する。このように、代表文字ブロックと周辺文字ブロックは、重なり合うことができる。」（段落【００３８】）と記載されており、タッチされた代表文字ブロックの左右の代表文字ブロックは周辺文字ブロックとして機能し、その領域が重なり合っているものであるから、引用発明において、各周辺文字ブロックの面積を各代表文字ブロックと同じ大きさまで大きくしても何ら差し支えないことは明らかである。
　一方、引用例２〜４には、引用発明と同じく携帯端末装置で文字入力を実現するものにおいて、「あ」、「か」、「さ」、「た」等の「あ」列の文字（「第１の情報」に相当する。）を表示したマトリックス状に配置されたキーやボタン（「予め設定された入力枠」に相当する。）のうちの１がタッチされた場合に、前記タッチされたキーやボタンの表示は「あ」列の文字のままとし、他のキーやボタン（「他の予め設定された入力枠」に相当する。）の表示を「あ」列の文字（「第１の情報」に相当する。）に代えて、タッチされた「あ」列の文字の行に属する文字（「第２の情報」に相当する。）、例えば、「あ」行、「か」行、「さ」行、「た」行、「な」行等を表示することが記載されており、第１の情報を表示したマトリックス状に配置され、予め設定された入力枠のうちの１の入力枠がタッチされた場合に、前記タッチされた入力枠の表示は第１の情報のままとし、他の予め設定された入力枠の表示を第１の情報に代え、第１の情報に付随する第２の情報を表示し、第２の情報を入力可能にすることが示されている。
　そして、引用発明においても、引用例２〜４に示されるような入力枠（代表文字ブロック）のマトリックス状の配置を採用することや、引用例２〜４に示される「第１の情報を表示したマトリックス状に配置され、予め設定された入力枠のうちの１の入力枠がタッチされた場合に、前記タッチされた入力枠の表示は第１の情報のままとし、他の予め設定された入力枠の表示を第１の情報に代え、第１の情報に付随する第２の情報を表示し、第２の情報を入力可能にする」という構成を採用する（この構成を採用するということは、引用発明において「周辺文字ブロックを、当該周辺文字ブロックを表示する際にタッチされる周辺文字ブロックの周辺に配置された代表文字ブロックと完全に重ねる」という構成を採用することに他ならない。）ことが可能であることは、引用発明が解決しようとした課題と引用発明の構成に照らしあきらかである。
　以上によれば、引用発明の複数の代表文字ブロックの配置を、引用例２〜４にも示されるような一般的な入力枠（代表文字ブロック）のマトリックス状の配置として、１の代表文字ブロックの上下左右に隣接して他の代表ブロックが存在するような配置とするとともに、各周辺文字ブロックの大きさを各代表文字ブロックと同じ大きさとし、「タッチした代表文字ブロックに隣接する他の代表文字ブロックに表示していた第１の情報に代えて、第２の情報を、複数の代表文字ブロックのうち前記タッチした代表文字ブロックの上、下、左、右の全方向の代表文字ブロックに表示する」ようにすること、換言すれば、引用発明において相違点の本願発明の構成を採用することは、当業者が容易になし得たことである。
　
　そして、本願発明により奏される効果についてみても、引用発明において、「タッチした代表文字ブロックに隣接する他の代表文字ブロックに表示していた第１の情報に代えて、第２の情報を、複数の代表文字ブロックのうち前記タッチした代表文字ブロックの上、下、左、右の全方向の代表文字ブロックに表示する」ようにしたことに伴って予測し得ない格別顕著なものがらるともいえない。
　　　　
第５　むすび
　以上のとおり、本願発明は、引用発明、引用例２〜４記載の技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。